(57)【要約】情報処理方法、接続失敗の原因を決定する方法及び装置、通信システムを提供する。該方法は、現在の接続失敗が共存機器の干渉から生じたもの、又はマルチメディアブロードキャストマルチキャストサービス（ＭＢＭＳ）の連続受信から生じたものであるとユーザ装置により決定された場合、該ユーザ装置が、現在の接続失敗を無視し（２０１）、いずれの情報を記録しない（２０２）ステップと、該現在の接続失敗の関連情報を記録するステップと、該ユーザ装置がネットワークに再接続した後に、該関連情報をネットワーク側に報告し、接続失敗の原因が最終的に決定され、且つ該失敗を生じたネットワークパラメータを補正する基地局が該情報を取得した後に、該情報に基づいてネットワーク側でユーザ装置の接続失敗を修正又は回避するのを補助するステップとを含む。【選択図】図２
2016518053.tif 000002
【特許請求の範囲】
【請求項１】
情報処理方法であって、
ユーザ装置で接続失敗が発生した場合、前記ユーザ装置が、
現在の接続失敗が発生する前、及び／又は現在の接続失敗が発生する前の所定時間内に、前記ユーザ装置がサービングセルにおいて測定報告をトリガしたセル、及び／又は
現在の接続失敗が発生する前、及び／又は現在の接続失敗が発生する前の所定時間内に、前記ユーザ装置がサービングセルにおいて前記セルの測定報告を初めてトリガする時点、及び／又は前記セルの測定報告を初めてトリガする時点から前記現在の接続失敗が発生する時点までの時間間隔、の情報を記録するステップ、を含む、方法。
【請求項２】
前記所定時間は、ネットワーク側により構成されたもの、又は予め設定されたものである、請求項１に記載の方法。
【請求項３】
前記ユーザ装置がネットワークに再接続した後に、前記ユーザ装置が記録された情報をネットワーク側に報告するステップ、をさらに含む、請求項１に記載の方法。
【請求項４】
情報処理装置であって、
接続失敗が発生したか否かを決定する第１の決定手段と、
前記第１の決定手段の決定結果がＹＥＳである場合、
現在の接続失敗が発生する前、及び／又は現在の接続失敗が発生する前の所定時間内に、ユーザ装置がサービングセルにおいて測定報告をトリガしたセル、及び／又は
現在の接続失敗が発生する前、及び／又は現在の接続失敗が発生する前の所定時間内に、前記ユーザ装置がサービングセルにおいて前記セルの測定報告を初めてトリガする時点、及び／又は前記セルの測定報告を初めてトリガする時点から前記現在の接続失敗が発生する時点までの時間間隔、の情報を記録する第１の情報処理手段と、を含む、装置。
【請求項５】
ネットワーク側により構成された前記所定時間を取得し、或いは前記所定時間を予め設定するパラメータ取得手段、をさらに含む、請求項４に記載の装置。
【請求項６】
前記ユーザ装置がネットワークに再接続した後に、記録された情報をネットワーク側に報告する第１の報告手段、をさらに含む、請求項４に記載の装置。
【請求項７】
請求項４乃至６のいずれかに記載の装置を含むユーザ装置。
【請求項８】
情報処理方法であって、
現在の接続失敗が共存機器の干渉から生じたもの、若しくはＭＢＭＳの連続受信を確保することから生じたものであるとユーザ装置により決定された場合、又は現在の接続失敗が発生する前に前記ユーザ装置が共存機器の干渉に関する情報を送信し、或いはネットワーク側でＭＢＭＳの連続受信を確保するのを補助するための情報を送信したとユーザ装置により決定された場合、前記ユーザ装置が、前記現在の接続失敗を無視し、或いは前記現在の接続失敗の関連情報を記録するステップ、を含む、方法。
【請求項９】
前記ユーザ装置が前記現在の接続失敗を無視する場合、いずれの情報も記録しないステップ、をさらに含む、請求項８に記載の方法。
【請求項１０】
前記現在の接続失敗の関連情報を記録するステップは、
前記ユーザ装置により保存された接続失敗情報を置換し、或いは前記ユーザ装置により保存された接続失敗情報を置換しないステップ、を含む、請求項８に記載の方法。
【請求項１１】
前記現在の接続失敗の関連情報は、
前記現在の接続失敗の情報、及び／又は共存干渉に関する情報、及び／又はＭＢＭＳ関心に関する情報を含む、請求項８に記載の方法。
【請求項１２】
前記共存干渉に関する情報は、前記現在の接続失敗が共存機器の干渉から生じたものであることを示す指示情報、及び／又は接続失敗が発生する前に前記ユーザ装置が共存機器の干渉に関する情報を送信したことを示す指示情報、及び／又はInDeviceCoexindicationメッセージに設定された情報を含み、
前記ＭＢＭＳ関心に関する情報は、前記現在の接続失敗がＭＢＭＳの連続受信から生じたものであることを示す指示情報、及び／又は前記現在の接続失敗が発生する前に前記ユーザ装置がネットワーク側でＭＢＭＳの連続受信を確保するのを補助するための情報を送信したことを示す指示情報、及び／又はMBMSInterestIndicationメッセージに設定された情報を含む、請求項１１に記載の方法。
【請求項１３】
前記InDeviceCoexindicationメッセージに設定された情報は、共存機器の干渉の周波数リスト、及び／又は時分割多重の補助情報を含み、
前記MBMSInterestIndicationメッセージに設定された情報は、ユーザの関心のあるＭＢＭＳを提供する周波数リスト、及び／又はＭＢＭＳとユニキャストサービスの優先度を示すインジケータを含む、請求項１２に記載の方法。
【請求項１４】
前記ユーザ装置がネットワークに再接続した後に、前記ユーザ装置が記録された情報をネットワーク側に報告するステップ、をさらに含む、請求項８乃至１３のいずれかに記載の方法。
【請求項１５】
情報処理装置であって、
ユーザ装置の現在の接続失敗が共存機器の干渉から生じたものであるか否か、ＭＢＭＳの連続受信を確保することから生じたものであるか否か、現在の接続失敗が発生する前にユーザ装置が共存機器の干渉に関する情報を送信したか否か、又はネットワーク側でＭＢＭＳの連続受信を確保するのを補助するための情報を送信したか否かを決定する第２の決定手段と、
前記第２の決定手段の決定結果がＹＥＳである場合、前記現在の接続失敗を無視し、或いは前記現在の接続失敗の関連情報を記録する第２の処理手段と、を含む、装置。
【請求項１６】
前記第２の処理手段は、前記現在の接続失敗を無視する場合、いずれの情報も記録しない、請求項１５に記載の装置。
【請求項１７】
前記第２の処理手段は、前記現在の接続失敗の関連情報を記録する場合、前記ユーザ装置により保存された接続失敗情報を置換し、或いは前記ユーザ装置により保存された接続失敗情報を置換しない、請求項１５に記載の装置。
【請求項１８】
前記現在の接続失敗の関連情報は、
前記現在の接続失敗の情報、及び／又は共存干渉に関する情報、及び／又はＭＢＭＳ関心に関する情報を含む、請求項１５に記載の装置。
【請求項１９】
前記共存干渉に関する情報は、前記現在の接続失敗が共存機器の干渉から生じたものであることを示す指示情報、及び／又は接続失敗が発生する前に前記ユーザ装置が共存機器の干渉に関する情報を送信したことを示す指示情報、及び／又はInDeviceCoexindicationメッセージに設定された情報を含み、
前記ＭＢＭＳ関心に関する情報は、前記現在の接続失敗がＭＢＭＳの連続受信から生じたものであることを示す指示情報、及び／又は前記現在の接続失敗が発生する前に前記ユーザ装置がネットワーク側でＭＢＭＳの連続受信を確保するのを補助するための情報を送信したことを示す指示情報、及び／又はMBMSInterestIndicationメッセージに設定された情報を含む、請求項１８に記載の装置。
【請求項２０】
前記InDeviceCoexindicationメッセージに設定された情報は、共存機器の干渉の周波数リスト、及び／又は時分割多重の補助情報を含み、
前記MBMSInterestIndicationメッセージに設定された情報は、ユーザの関心のあるＭＢＭＳを提供する周波数リスト、及び／又はＭＢＭＳとユニキャストサービスの優先度を示すインジケータを含む、請求項１９に記載の装置。
【請求項２１】
前記ユーザ装置がネットワークに再接続した後に、記録された情報をネットワーク側に報告する第２の報告手段、をさらに含む、請求項１５乃至２０のいずれかに記載の装置。
【請求項２２】
請求項１５乃至２１のいずれかに記載の装置を含むユーザ装置。
【請求項２３】
情報処理方法であって、
ユーザ装置又はネットワーク側の他の基地局により送信された情報を受信するステップと、
受信された前記情報をネットワーク側に送信し、或いは受信された前記情報を無視し、或いは前記情報を、ネットワーク側で接続失敗を修正又は回避するを補助するための因子とするステップと、を含み、
前記情報は、
ユーザ装置で接続失敗が発生した場合に記録された情報であって、現在の接続失敗が発生する前、及び／又は現在の接続失敗が発生する前の所定時間内に、前記ユーザ装置がサービングセルにおいて測定報告をトリガしたセル、及び／又は現在の接続失敗が発生する前、及び／又は現在の接続失敗が発生する前の所定時間内に、前記ユーザ装置がサービングセルにおいて前記セルの測定報告を初めてトリガする時点、及び／又は前記セルの測定報告を初めてトリガする時点から前記現在の接続失敗が発生する時点までの時間間隔を含む情報、及び／又は
現在の接続失敗が共存機器の干渉から生じたもの、若しくはＭＢＭＳの連続受信を確保することから生じたものであるとユーザ装置により決定された場合、又は現在の接続失敗が発生する前に前記ユーザ装置が共存機器の干渉に関する情報を送信し、或いはネットワーク側でＭＢＭＳの連続受信を確保するのを補助するための情報を送信したとユーザ装置により決定された場合に記録された情報であって、現在の接続失敗の関連情報を含む情報、のうち１つ又は複数の情報を含む、方法。
【請求項２４】
前記現在の接続失敗の関連情報は、
前記現在の接続失敗の情報、及び／又は共存干渉に関する情報、及び／又はＭＢＭＳ関心に関する情報を含む、請求項２３に記載の方法。
【請求項２５】
前記共存干渉に関する情報は、前記現在の接続失敗が共存機器の干渉から生じたものであることを示す指示情報、及び／又は接続失敗が発生する前に前記ユーザ装置が共存機器の干渉に関する情報を送信したことを示す指示情報、及び／又はInDeviceCoexindicationメッセージに設定された情報を含み、
前記ＭＢＭＳ関心に関する情報は、前記現在の接続失敗がＭＢＭＳの連続受信から生じたものであることを示す指示情報、及び／又は前記現在の接続失敗が発生する前に前記ユーザ装置がネットワーク側でＭＢＭＳの連続受信を確保するのを補助するための情報を送信したことを示す指示情報、及び／又はMBMSInterestIndicationメッセージに設定された情報を含む、請求項２４に記載の方法。
【請求項２６】
前記InDeviceCoexindicationメッセージに設定された情報は、共存機器の干渉の周波数リスト、及び／又は時分割多重の補助情報を含み、
前記MBMSInterestIndicationメッセージに設定された情報は、ユーザの関心のあるＭＢＭＳを提供する周波数リスト、及び／又はＭＢＭＳとユニキャストサービスの優先度を示すインジケータを含む、請求項２５に記載の方法。
【請求項２７】
情報処理装置であって、
ユーザ装置又はネットワーク側の他の基地局により送信された情報を受信する第１の受信手段と、
受信された前記情報をネットワーク側に送信し、或いは受信された前記情報を無視し、或いは現在の接続失敗の関連情報を、ネットワーク側で接続失敗を修正又は回避するのを補助するための因子とする第３の処理手段と、を含み、
前記情報は、
ユーザ装置で接続失敗が発生した場合に記録された情報であって、現在の接続失敗が発生する前、及び／又は現在の接続失敗が発生する前の所定時間内に、前記ユーザ装置がサービングセルにおいて測定報告をトリガしたセル、及び／又は現在の接続失敗が発生する前、及び／又は現在の接続失敗が発生する前の所定時間内に、前記ユーザ装置がサービングセルにおいて前記セルの測定報告を初めてトリガする時点、及び／又は前記セルの測定報告を初めてトリガする時点から前記現在の接続失敗が発生する時点までの時間間隔を含む情報、及び／又は
現在の接続失敗が共存機器の干渉から生じたもの、若しくはＭＢＭＳの連続受信を確保することから生じたものであるとユーザ装置により決定された場合、又は現在の接続失敗が発生する前に前記ユーザ装置が共存機器の干渉に関する情報を送信し、或いはネットワーク側でＭＢＭＳの連続受信を確保するのを補助するための情報を送信したとユーザ装置により決定された場合に記録された情報であって、前記現在の接続失敗の関連情報を含む情報、のうち１つ又は複数の情報を含む、装置。
【請求項２８】
前記現在の接続失敗の関連情報は、
前記現在の接続失敗の情報、及び／又は共存干渉に関する情報、及び／又はＭＢＭＳ関心に関する情報を含む、請求項２７に記載の装置。
【請求項２９】
請求項２７又は２８に記載の装置を含む基地局。
【請求項３０】
請求項７及び／又は２２に記載のユーザ装置と、請求項２９に記載の基地局と、を含む通信システム。
【請求項３１】
情報処理方法であって、
第１の基地局がユーザ装置により送信された無線リンク障害報告を受信するステップと、
受信された前記無線リンク障害報告における情報に基づいて前記ユーザ装置のコンテキスト情報を検索するステップと、
前記コンテキスト情報に基づいて、接続失敗が発生する前に前記ユーザ装置が共存機器の干渉に関する情報を送信し、或いはＭＢＭＳの連続受信に関する情報を送信したか否かを決定するステップと、
決定結果がＹＥＳである場合、前記情報を無視し、或いは前記情報を、ネットワーク側で接続失敗を修正又は回避するのを補助するための因子とし、或いは共存機器の干渉に関する情報又はＭＢＭＳの連続受信に関する情報をネットワーク側に送信するステップと、を含み、
前記共存機器の干渉に関する情報は、接続失敗が発生する前に前記ユーザ装置が共存機器の干渉に関する情報を送信したことを示す指示情報、及び／又はInDeviceCoexindicationメッセージに設定された情報を含み、
前記ＭＢＭＳの連続受信に関する情報は、接続失敗が発生する前に前記ユーザ装置がネットワーク側でＭＢＭＳの連続受信を確保するのを補助するための情報を送信したことを示す指示情報、及び／又はMBMSInterestIndicationメッセージに設定された情報を含む、方法。
【請求項３２】
情報処理方法であって、
第１の基地局がユーザ装置により送信された無線リンク障害報告を受信するステップと、
受信された前記無線リンク障害報告における情報に基づいて前記ユーザ装置のコンテキスト情報を検索するステップと、
前記コンテキスト情報に基づいて、ユーザ装置の接続失敗が共存機器の干渉又はＭＢＭＳの連続受信を確保することから生じたものであるか否かを決定するステップと、
決定結果がＹＥＳである場合、関連情報を無視し、或いは関連情報を、ネットワーク側で接続失敗を修正又は回避するのを補助するための因子とし、或いは関連情報をネットワーク側に送信するステップと、を含み、
接続失敗が共存機器の干渉から生じたものであると決定された場合、前記関連情報は、接続失敗が発生する前に前記ユーザ装置が共存機器の干渉に関する情報を送信したことを示す指示情報、及び／又は接続失敗が共存機器の干渉から生じたものであることを示す指示情報、及び／又はInDeviceCoexindicationメッセージに設定された情報を含み、
接続失敗がＭＢＭＳの連続受信を確保することから生じたものであると決定された場合、前記関連情報は、接続失敗が発生する前に前記ユーザ装置がネットワーク側でＭＢＭＳの連続受信を確保するのを補助するための情報を送信したことを示す指示情報、及び／又は接続失敗がＭＢＭＳの連続受信を確保することから生じたものであることを示す指示情報、及び／又はMBMSInterestIndicationメッセージに設定された情報を含む、方法。
【請求項３３】
前記InDeviceCoexindicationメッセージに設定された情報は、共存機器の干渉の周波数リスト、及び／又は時分割多重の補助情報を含み、
前記MBMSInterestIndicationメッセージに設定された情報は、ユーザの関心のあるＭＢＭＳを提供する周波数リスト、及び／又はＭＢＭＳとユニキャストサービスの優先度を示すインジケータを含む、請求項３１又は３２に記載の方法。
【請求項３４】
情報処理装置であって、
ユーザ装置により送信された無線リンク障害報告を受信する第２の受信手段と、
受信された前記無線リンク障害報告における情報に基づいて前記ユーザ装置のコンテキスト情報を検索する第１の情報検索手段と、
前記コンテキスト情報に基づいて、接続失敗が発生する前に前記ユーザ装置が共存機器の干渉に関する情報を送信し、或いはＭＢＭＳの連続受信に関する情報を送信したか否かを決定する第３の決定手段と、
前記第３の決定手段の決定結果がＹＥＳである場合、前記情報を無視し、或いは関連情報を、ネットワーク側で接続失敗を修正又は回避するのを補助するための因子とし、或いは共存機器の干渉に関する情報又はＭＢＭＳの連続受信に関する情報をネットワーク側に送信する第４の情報処理手段と、を含み、
前記共存機器の干渉に関する情報は、接続失敗が発生する前に前記ユーザ装置が共存機器の干渉に関する情報を送信したことを示す指示情報、及び／又はInDeviceCoexindicationメッセージに設定された情報を含み、
前記ＭＢＭＳの連続受信に関する情報は、接続失敗が発生する前に前記ユーザ装置がＭＢＭＳの連続受信に関する情報を送信したことを示す指示情報、及び／又はMBMSInterestIndicationメッセージに設定された情報を含む、装置。
【請求項３５】
情報処理装置であって、
ユーザ装置により送信された無線リンク障害報告を受信する第３の受信手段と、
受信された前記無線リンク障害報告における情報に基づいて前記ユーザ装置のコンテキスト情報を検索する第２の情報検索手段と、
前記コンテキスト情報に基づいて、ユーザ装置の接続失敗が共存機器の干渉又はＭＢＭＳの連続受信を確保することから生じたものであるか否かを決定する第４の決定手段と、
決定結果がＹＥＳである場合、関連情報を無視し、或いは関連情報を、ネットワーク側で接続失敗を修正又は回避するのを補助するための因子とし、或いは関連情報をネットワーク側に送信する第５の情報処理手段と、を含み、
接続失敗が共存機器の干渉から生じたものであると決定された場合、前記関連情報は、接続失敗が発生する前に前記ユーザ装置が共存機器の干渉に関する情報を送信したことを示す指示情報、及び／又は接続失敗が共存機器の干渉から生じたものであることを示す指示情報、及び／又はInDeviceCoexindicationメッセージに設定された情報を含み、
接続失敗がＭＢＭＳの連続受信を確保することから生じたものであると決定された場合、前記関連情報は、接続失敗が発生する前に前記ユーザ装置がネットワーク側でＭＢＭＳの連続受信を確保するのを補助するための情報を送信したことを示す指示情報、及び／又は接続失敗がＭＢＭＳの連続受信を確保することから生じたものであることを示す指示情報、及び／又はMBMSInterestIndicationメッセージに設定された情報を含む、装置。
【請求項３６】
前記InDeviceCoexindicationメッセージに設定された情報は、共存機器の干渉の周波数リスト、及び／又は時分割多重の補助情報を含み、
前記MBMSInterestIndicationメッセージに設定された情報は、ユーザの関心のあるＭＢＭＳを提供する周波数リスト、及び／又はＭＢＭＳとユニキャストサービスの優先度を示すインジケータを含む、請求項３４又は３５に記載の装置。
【請求項３７】
請求項３４乃至３６の何れかに記載の情報処理装置を含む基地局。
【請求項３８】
無線リンク障害報告を送信するユーザ装置を含む通信システムであって、
請求項３７に記載の基地局をさらに含む、通信システム。
【請求項３９】
測定報告をトリガする方法であって、
ＭＢＭＳを提供する隣接セルの信号強度又は信号品質が第１の所定値よりも大きく、或いはＭＢＭＳを提供する隣接セルの信号強度又は信号品質とサービングセルの信号強度又は信号品質との差が第２の所定値よりも大きい場合、ユーザ装置が前記ＭＢＭＳを提供する隣接セルの測定報告をトリガするステップ、を含む、方法。
【請求項４０】
前記測定報告は、ＭＢＭＳを提供する隣接セルの信号強度又は信号品質の情報を含む、請求項３９に記載の方法。
【請求項４１】
測定報告をトリガする方法であって、
ユーザ装置がＭＢＭＳを提供する隣接セルの属する周波数と異なる隣接セルの測定報告をトリガした場合、前記ユーザ装置が、前記ＭＢＭＳを提供する隣接セルの信号強度又は信号品質を前記測定報告に含めてネットワーク側に報告するステップ、を含む、方法。
【請求項４２】
測定報告をトリガする方法であって、
ユーザ装置がソースセルからターゲットセルへハンドオーバし、且つ該ユーザ装置のＭＢＭＳの中断が発生した場合、又はユーザ装置がソースセルからターゲットセルへハンドオーバし、該ユーザ装置のＭＢＭＳの中断が発生し、且つターゲット基地局により制御されたセルに中断した前記ＭＢＭＳを提供するセルが存在することを該ユーザ装置が知っている場合、前記ユーザ装置が前記ターゲット基地局に少なくとも１つのセルの測定結果を報告するステップ、を含み、
前記測定結果は、前記ユーザ装置がソースセルからターゲットセルへのハンドオーバの測定報告をトリガする時に前記ユーザ装置により取得された他の隣接セルの測定結果を指す、方法。
【請求項４３】
前記他の隣接セルは、ＭＢＭＳを提供するセルを含む、請求項４２に記載の方法。
【請求項４４】
測定報告をトリガする装置であって、
ＭＢＭＳを提供する隣接セルの信号強度又は信号品質が第１の所定値よりも大きく、或いはＭＢＭＳを提供する隣接セルの信号強度又は信号品質とサービングセルの信号強度又は信号品質との差が第２の所定値よりも大きい場合、前記ＭＢＭＳを提供する隣接セルの測定報告をトリガする第１のトリガ手段、を含む、装置。
【請求項４５】
前記測定報告は、ＭＢＭＳを提供する隣接セルの信号強度又は信号品質の情報を含む、請求項４４に記載の装置。
【請求項４６】
測定報告をトリガする装置であって、
ユーザ装置がＭＢＭＳを提供する隣接セルの属する周波数と異なる隣接セルの測定報告をトリガした場合、前記ＭＢＭＳを提供する隣接セルの信号強度又は信号品質を前記測定報告に含めてネットワーク側に報告する第２のトリガ手段、を含む、装置。
【請求項４７】
測定報告をトリガする装置であって、
ユーザ装置がソースセルからターゲットセルへハンドオーバし、且つ該ユーザ装置のＭＢＭＳの中断が発生した場合、又はユーザ装置がソースセルからターゲットセルへハンドオーバし、該ユーザ装置のＭＢＭＳの中断が発生し、且つターゲット基地局により制御されたセルに中断した前記ＭＢＭＳを提供するセルが存在することを該ユーザ装置が知っている場合、前記ターゲット基地局に少なくとも１つのセルの測定結果を報告する第３のトリガ手段、を含み、
前記測定結果は、前記ユーザ装置がソースセルからターゲットセルへのハンドオーバの測定報告をトリガする時に前記ユーザ装置により取得された他の隣接セルの測定結果を指す、装置。
【請求項４８】
前記他の隣接セルは、ＭＢＭＳを提供するセルを含む、請求項４７に記載の装置。
【請求項４９】
請求項４４乃至４８の何れかに記載の測定報告をトリガする装置を含むユーザ装置。
【請求項５０】
請求項４９に記載のユーザ装置を含む通信システムであって、
前記ユーザ装置によりトリガされた測定報告を受信する基地局をさらに含む、通信システム。
【請求項５１】
情報処理装置又はユーザ装置においてプログラムを実行する際に、コンピュータに、請求項１乃至３、８乃至１４のいずれかに記載の情報処理方法を前記情報処理装置又はユーザ装置において実行させる、コンピュータ読み取り可能なプログラム。
【請求項５２】
コンピュータに、請求項１乃至３、８乃至１４のいずれかに記載の情報処理方法を情報処理装置又はユーザ装置において実行させるためのコンピュータ読み取り可能なプログラムを記憶する、記憶媒体。
【請求項５３】
情報処理装置又は基地局においてプログラムを実行する際に、コンピュータに、請求項２３乃至２６、３１乃至３３のいずれかに記載の情報処理方法を前記情報処理装置又は基地局において実行させる、コンピュータ読み取り可能なプログラム。
【請求項５４】
コンピュータに、請求項２３乃至２６、３１乃至３３のいずれかに記載の情報処理方法を情報処理装置又は基地局において実行させるためのコンピュータ読み取り可能なプログラムを記憶する、記憶媒体。
【請求項５５】
測定報告をトリガする装置又はユーザ装置においてプログラムを実行する際に、コンピュータに、請求項３９乃至４３のいずれかに記載の測定報告をトリガする方法を前記測定報告をトリガする装置又はユーザ装置において実行させる、コンピュータ読み取り可能なプログラム。
【請求項５６】
コンピュータに、請求項３９乃至４３のいずれかに記載の測定報告をトリガする方法を測定報告をトリガする装置又はユーザ装置において実行させるためのコンピュータ読み取り可能なプログラムを記憶する、記憶媒体。
【発明の詳細な説明】
【技術分野】
【０００１】
本発明は、通信分野に関し、特に情報処理方法、測定報告のトリガする方法及び装置、並びに通信システムに関する。
【背景技術】
【０００２】
従来のメカニズムでは、ユーザ装置で接続失敗が発生した後で、該ユーザ装置は、接続失敗が生じる原因を判断させるようにネットワーク側に補助情報を提供し、パラメータを変更することでこのような接続失敗を回避する。例えば、接続失敗は、無線リンク障害（ＲＬＦ）及びハンドオーバ失敗（ＨＯＦ）を含んでもよい。
【０００３】
従来では、ユーザ装置で接続失敗が発生した場合、ネットワーク側に提供される情報は、失敗の前後のユーザ装置が属するセルのＩＤ、失敗時の測定結果などを含む。
【０００４】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００５】
従来の実際のシステムでは、接続失敗は、ネットワークパラメータの不適切な設定から生じるものではなく、他の原因から生じたもの、例えば端末側の共存機器の干渉又はマルチメディアブロードキャストマルチキャストサービス（ＭＢＭＳ：Multimedia Broadcast Multicast Service）の連続受信などから生じたものである可能性がある。しかし、従来のメカニズムでは、接続失敗が発生した後に、ユーザ装置からネットワーク側に提供された情報は失敗前後のユーザ装置が属するセルのＩＤ、失敗時の測定結果などを含むが、接続失敗が端末側の共存機器の干渉又はＭＢＭＳの連続受信から生じたものであることを看過してしまう。従来のメカニズムに従ってネットワーク側に接続失敗時の状況を通知すると、ネットワーク側はこれらの原因を取得できず、これらの原因による接続失敗を適切に回避できず、正確なネットワークパラメータを誤って調整する可能性がある。
【０００６】
本発明の実施例は、ネットワーク側に共存機器の干渉又はＭＢＭＳの連続受信に関する情報を無視させ、或いは共存機器の干渉又はＭＢＭＳの連続受信に関する情報をネットワークで接続失敗を修正又は回避するのを補助するための因子とすることができる、情報処理方法、測定報告をトリガする方法及び装置、通信システムを提供することを目的とする。
【課題を解決するための手段】
【０００７】
本発明の実施例の第１の態様では、情報処理方法であって、ユーザ装置で接続失敗が発生した場合、前記ユーザ装置が、現在の接続失敗が発生する前、及び／又は現在の接続失敗が発生する前の所定時間内に、前記ユーザ装置がサービングセルにおいて測定報告をトリガしたセル、及び／又は現在の接続失敗が発生する前、及び／又は現在の接続失敗が発生する前の所定時間内に、前記ユーザ装置がサービングセルにおいて前記セルの測定報告を初めてトリガする時点、及び／又は前記セルの測定報告を初めてトリガする時点から前記現在の接続失敗が発生する時点までの時間間隔、の情報を記録するステップ、を含む、方法を提供する。
【０００８】
本発明の実施例の第１の態様では、情報処理装置であって、接続失敗が発生したか否かを決定する第１の決定手段と、前記第１の決定手段の決定結果がＹＥＳである場合、現在の接続失敗が発生する前、及び／又は現在の接続失敗が発生する前の所定時間内に、ユーザ装置がサービングセルにおいて測定報告をトリガしたセル、及び／又は現在の接続失敗が発生する前、及び／又は現在の接続失敗が発生する前の所定時間内に、前記ユーザ装置がサービングセルにおいて前記セルの測定報告を初めてトリガする時点、及び／又は前記セルの測定報告を初めてトリガする時点から前記現在の接続失敗が発生する時点までの時間間隔、の情報を記録する第１の情報処理手段と、を含む、装置を提供する。
【０００９】
本発明の実施例の第３の態様では、本発明の実施例の第２の態様に記載の装置を含むユーザ装置を提供する。
【００１０】
本発明の実施例の第４の態様では、情報処理方法であって、現在の接続失敗が共存機器の干渉から生じたもの、若しくはＭＢＭＳの連続受信を確保することから生じたものであるとユーザ装置により決定された場合、又は現在の接続失敗が発生する前に前記ユーザ装置が共存機器の干渉に関する情報を送信し、或いはネットワーク側でＭＢＭＳの連続受信を確保するのを補助するための情報を送信したとユーザ装置により決定された場合、前記ユーザ装置が、前記現在の接続失敗を無視し、或いは前記現在の接続失敗の関連情報を記録するステップ、を含む、方法を提供する。
【００１１】
本発明の実施例の第５の態様では、情報処理装置であって、ユーザ装置の現在の接続失敗が共存機器の干渉から生じたものであるか否か、ＭＢＭＳの連続受信を確保することから生じたものであるか否か、現在の接続失敗が発生する前にユーザ装置が共存機器の干渉に関する情報を送信したか否か、又はネットワーク側でＭＢＭＳの連続受信を確保するのを補助するための情報を送信したか否かを決定する第２の決定手段と、前記第２の決定手段の決定結果がＹＥＳである場合、前記現在の接続失敗を無視し、或いは前記現在の接続失敗の関連情報を記録する第２の処理手段と、を含む、装置を提供する。
【００１２】
本発明の実施例の第６の態様では、本発明の実施例の第５の態様に記載の装置を含むユーザ装置を提供する。
【００１３】
本発明の実施例の第７の態様では、情報処理方法であって、ユーザ装置又はネットワーク側の他の基地局により送信された情報を受信するステップと、受信された前記情報をネットワーク側に送信し、或いは受信された前記情報を無視し、或いは前記情報を、ネットワーク側で接続失敗を修正又は回避するのを補助するための因子とするステップと、を含み、前記情報は、ユーザ装置で接続失敗が発生した場合に記録された情報であって、現在の接続失敗が発生する前、及び／又は現在の接続失敗が発生する前の所定時間内に、前記ユーザ装置がサービングセルにおいて測定報告をトリガしたセル、及び／又は現在の接続失敗が発生する前、及び／又は現在の接続失敗が発生する前の所定時間内に、前記ユーザ装置がサービングセルにおいて前記セルの測定報告を初めてトリガする時点、及び／又は前記セルの測定報告を初めてトリガする時点から前記現在の接続失敗が発生する時点までの時間間隔を含む情報、及び／又は現在の接続失敗が共存機器の干渉から生じたもの、若しくはＭＢＭＳの連続受信を確保することから生じたものであるとユーザ装置により決定された場合、又は現在の接続失敗が発生する前に前記ユーザ装置が共存機器の干渉に関する情報を送信し、或いはネットワーク側でＭＢＭＳの連続受信を確保するのを補助するための情報を送信したとユーザ装置により決定された場合に記録された情報であって、現在の接続失敗の関連情報を含む情報、のうち１つ又は複数の情報を含む、方法を提供する。
【００１４】
本発明の実施例の第８の態様では、情報処理装置であって、ユーザ装置又はネットワーク側の他の基地局により送信された情報を受信する第１の受信手段と、受信された前記情報をネットワーク側に送信し、或いは受信された前記情報を無視し、或いは現在の接続失敗の関連情報を、ネットワーク側で接続失敗を修正又は回避するのを補助するための因子とする第３の処理手段と、を含み、前記情報は、ユーザ装置で接続失敗が発生した場合に記録された情報であって、現在の接続失敗が発生する前、及び／又は現在の接続失敗が発生する前の所定時間内に、前記ユーザ装置がサービングセルにおいて測定報告をトリガしたセル、及び／又は現在の接続失敗が発生する前、及び／又は現在の接続失敗が発生する前の所定時間内に、前記ユーザ装置がサービングセルにおいて前記セルの測定報告を初めてトリガする時点、及び／又は前記セルの測定報告を初めてトリガする時点から前記現在の接続失敗が発生する時点までの時間間隔を含む情報、及び／又は現在の接続失敗が共存機器の干渉から生じたもの、若しくはＭＢＭＳの連続受信を確保することから生じたものであるとユーザ装置により決定された場合、又は現在の接続失敗が発生する前に前記ユーザ装置が共存機器の干渉に関する情報を送信し、或いはネットワーク側でＭＢＭＳの連続受信を確保するのを補助するための情報を送信したとユーザ装置により決定された場合に記録された情報であって、前記現在の接続失敗の関連情報を含む情報、のうち１つ又は複数の情報を含む、装置を提供する。
【００１５】
本発明の実施例の第９の態様では、実施例の第８の態様に記載の装置を含む基地局を提供する。
【００１６】
本発明の実施例の第１０の態様では、上記のユーザ装置と、上記の基地局と、を含む通信システムを提供する。
【００１７】
本発明の実施例の第１１の態様では、情報処理方法であって、第１の基地局がユーザ装置により送信された無線リンク障害報告を受信するステップと、受信された前記無線リンク障害報告における情報に基づいて前記ユーザ装置のコンテキスト情報を検索するステップと、前記コンテキスト情報に基づいて、接続失敗が発生する前に前記ユーザ装置が共存機器の干渉に関する情報を送信し、或いはＭＢＭＳの連続受信に関する情報を送信したか否かを決定するステップと、決定結果がＹＥＳである場合、前記情報を無視し、或いは前記情報を、ネットワーク側で接続失敗を修正又は回避するのを補助するための因子とし、或いは共存機器の干渉に関する情報又はＭＢＭＳの連続受信に関する情報をネットワーク側に送信するステップと、を含み、前記共存機器の干渉に関する情報は、接続失敗が発生する前に前記ユーザ装置が共存機器の干渉に関する情報を送信したことを示す指示情報、及び／又はInDeviceCoexindicationメッセージに設定された情報を含み、前記ＭＢＭＳの連続受信に関する情報は、接続失敗が発生する前に前記ユーザ装置がネットワーク側でＭＢＭＳの連続受信を確保するのを補助するための情報を送信したことを示す指示情報、及び／又はMBMSInterestIndicationメッセージに設定された情報を含む、方法を提供する。
【００１８】
本発明の実施例の第１２の態様では、情報処理方法であって、第１の基地局がユーザ装置により送信された無線リンク障害報告を受信するステップと、受信された前記無線リンク障害報告における情報に基づいて前記ユーザ装置のコンテキスト情報を検索するステップと、前記コンテキスト情報に基づいて、ユーザ装置の接続失敗が共存機器の干渉又はＭＢＭＳの連続受信を確保することから生じたものであるか否かを決定するステップと、決定結果がＹＥＳである場合、関連情報を無視し、或いは関連情報を、ネットワーク側で接続失敗を修正又は回避するのを補助するための因子とし、或いは関連情報をネットワーク側に送信するステップと、を含み、接続失敗が共存機器の干渉から生じたものであると決定された場合、前記関連情報は、接続失敗が発生する前に前記ユーザ装置が共存機器の干渉に関する情報を送信したことを示す指示情報、及び／又は接続失敗が共存機器の干渉から生じたものであることを示す指示情報、及び／又はInDeviceCoexindicationメッセージに設定された情報を含み、接続失敗がＭＢＭＳの連続受信を確保することから生じたものであると決定された場合、前記関連情報は、接続失敗が発生する前に前記ユーザ装置がネットワーク側でＭＢＭＳの連続受信を確保するのを補助するための情報を送信したことを示す指示情報、及び／又は接続失敗がＭＢＭＳの連続受信を確保することから生じたものであることを示す指示情報、及び／又はMBMSInterestIndicationメッセージに設定された情報を含む、方法を提供する。
【００１９】
本発明の実施例の第１３の態様では、情報処理装置であって、ユーザ装置により送信された無線リンク障害報告を受信する第２の受信手段と、受信された前記無線リンク障害報告における情報に基づいて前記ユーザ装置のコンテキスト情報を検索する第１の情報検索手段と、前記コンテキスト情報に基づいて、接続失敗が発生する前に前記ユーザ装置が共存機器の干渉に関する情報を送信し、或いはＭＢＭＳの連続受信に関する情報を送信したか否かを決定する第３の決定手段と、前記第３の決定手段の決定結果がＹＥＳである場合、前記情報を無視し、或いは関連情報を、ネットワーク側で接続失敗を修正又は回避するのを補助するための因子とし、或いは共存機器の干渉に関する情報又はＭＢＭＳの連続受信に関する情報をネットワーク側に送信する第４の情報処理手段と、を含み、前記共存機器の干渉に関する情報は、接続失敗が発生する前に前記ユーザ装置が共存機器の干渉に関する情報を送信したことを示す指示情報、及び／又はInDeviceCoexindicationメッセージに設定された情報を含み、前記ＭＢＭＳの連続受信に関する情報は、接続失敗が発生する前に前記ユーザ装置がＭＢＭＳの連続受信に関する情報を送信したことを示す指示情報、及び／又はMBMSInterestIndicationメッセージに設定された情報を含む、装置を提供する。
【００２０】
本発明の実施例の第１４の態様では、情報処理装置であって、ユーザ装置により送信された無線リンク障害報告を受信する第３の受信手段と、受信された前記無線リンク障害報告における情報に基づいて前記ユーザ装置のコンテキスト情報を検索する第２の情報検索手段と、前記コンテキスト情報に基づいて、ユーザ装置の接続失敗が共存機器の干渉又はＭＢＭＳの連続受信を確保することから生じたものであるか否かを決定する第４の決定手段と、決定結果がＹＥＳである場合、関連情報を無視し、或いは関連情報を、ネットワーク側で接続失敗を修正又は回避するのを補助するための因子とし、或いは関連情報をネットワーク側に送信する第５の情報処理手段と、を含み、接続失敗が共存機器の干渉から生じたものであると決定された場合、前記関連情報は、接続失敗が発生する前に前記ユーザ装置が共存機器の干渉に関する情報を送信したことを示す指示情報、及び／又は接続失敗が共存機器の干渉から生じたものであることを示す指示情報、及び／又はInDeviceCoexindicationメッセージに設定された情報を含み、接続失敗がＭＢＭＳの連続受信を確保することから生じたものであると決定された場合、前記関連情報は、接続失敗が発生する前に前記ユーザ装置がネットワーク側でＭＢＭＳの連続受信を確保するのを補助するための情報を送信したことを示す指示情報、及び／又は接続失敗がＭＢＭＳの連続受信を確保することから生じたものであることを示す指示情報、及び／又はMBMSInterestIndicationメッセージに設定された情報を含む、装置を提供する。
【００２１】
本発明の実施例の第１５の態様では、上記実施例の第１３の態様又は第１４の態様に記載の情報処理装置を含む基地局を提供する。
【００２２】
本発明の実施例の第１６の態様では、無線リンク障害報告を送信するユーザ装置を含む通信システムであって、上記の基地局をさらに含む、通信システムを提供する。
【００２３】
本発明の実施例の第１７の態様では、測定報告をトリガする方法であって、ＭＢＭＳを提供する隣接セルの信号強度又は信号品質が第１の所定値よりも大きく、或いはＭＢＭＳを提供する隣接セルの信号強度又は信号品質とサービングセルの信号強度又は信号品質との差が第２の所定値よりも大きい場合、ユーザ装置が前記ＭＢＭＳを提供する隣接セルの測定報告をトリガするステップ、を含む、方法を提供する。
【００２４】
本発明の実施例の第１８の態様では、測定報告をトリガする方法であって、ユーザ装置がＭＢＭＳを提供する隣接セルの属する周波数と異なる隣接セルの測定報告をトリガした場合、前記ユーザ装置が、前記ＭＢＭＳを提供する隣接セルの信号強度又は信号品質を前記測定報告に含めてネットワーク側に報告するステップ、を含む、方法を提供する。
【００２５】
本発明の実施例の第１９の態様では、測定報告をトリガする方法であって、ユーザ装置がソースセルからターゲットセルへハンドオーバし、且つ該ユーザ装置のＭＢＭＳの中断が発生した場合、又はユーザ装置がソースセルからターゲットセルへハンドオーバし、該ユーザ装置のＭＢＭＳの中断が発生し、且つターゲット基地局により制御されたセルに中断した前記ＭＢＭＳを提供するセルが存在することを該ユーザ装置が知っている場合、前記ユーザ装置が前記ターゲット基地局に少なくとも１つのセルの測定結果を報告するステップ、を含み、前記測定結果は、前記ユーザ装置がソースセルからターゲットセルへのハンドオーバの測定報告をトリガする時に前記ユーザ装置により取得された他の隣接セルの測定結果を指す、方法を提供する。
【００２６】
本発明の実施例の第２０の態様では、測定報告をトリガする装置であって、ＭＢＭＳを提供する隣接セルの信号強度又は信号品質が第１の所定値よりも大きく、或いはＭＢＭＳを提供する隣接セルの信号強度又は信号品質とサービングセルの信号強度又は信号品質との差が第２の所定値よりも大きい場合、前記ＭＢＭＳを提供する隣接セルの測定報告をトリガする第１のトリガ手段、を含む、装置を提供する。
【００２７】
本発明の実施例の第２１の態様では、測定報告をトリガする装置であって、ユーザ装置がＭＢＭＳを提供する隣接セルの属する周波数と異なる隣接セルの測定報告をトリガした場合、前記ＭＢＭＳを提供する隣接セルの信号強度又は信号品質を前記測定報告に含めてネットワーク側に報告する第２のトリガ手段、を含む、装置を提供する。
【００２８】
本発明の実施例の第２２の態様では、測定報告をトリガする装置であって、ユーザ装置がソースセルからターゲットセルへハンドオーバし、且つ該ユーザ装置のＭＢＭＳの中断が発生した場合、又はユーザ装置がソースセルからターゲットセルへハンドオーバし、該ユーザ装置のＭＢＭＳの中断が発生し、且つターゲット基地局により制御されたセルに中断した前記ＭＢＭＳを提供するセルが存在することを該ユーザ装置が知っている場合、前記ターゲット基地局に少なくとも１つのセルの測定結果を報告する第３のトリガ手段、を含み、前記測定結果は、前記ユーザ装置がソースセルからターゲットセルへのハンドオーバの測定報告をトリガする時に前記ユーザ装置により取得された他の隣接セルの測定結果を指す、装置を提供する。
【００２９】
本発明の実施例の第２３の態様では、上記の測定報告をトリガする装置を含むユーザ装置を提供する。
【００３０】
本発明の実施例の第２４の態様では、上記のユーザ装置を含む通信システムを提供する。
【００３１】
本発明の実施例では、情報処理装置又はユーザ装置においてプログラムを実行する際に、コンピュータに、上記の情報処理方法を前記情報処理装置又はユーザ装置において実行させる、コンピュータ読み取り可能なプログラムを提供する。
【００３２】
本発明の実施例では、コンピュータに、上記の情報処理方法を情報処理装置又はユーザ装置において実行させるためのコンピュータ読み取り可能なプログラムを記憶する、記憶媒体を提供する。
【００３３】
本発明の実施例では、情報処理装置又は基地局においてプログラムを実行する際に、コンピュータに、上記の情報処理方法を前記情報処理装置又は基地局において実行させる、コンピュータ読み取り可能なプログラムを提供する。
【００３４】
本発明の実施例では、コンピュータに、上記の情報処理方法を情報処理装置又は基地局において実行させるためのコンピュータ読み取り可能なプログラムを記憶する、記憶媒体を提供する。
【００３５】
本発明の実施例では、測定報告をトリガする装置又はユーザ装置においてプログラムを実行する際に、コンピュータに、上記の測定報告をトリガする方法を前記測定報告をトリガする装置又はユーザ装置において実行させる、コンピュータ読み取り可能なプログラムを提供する。
【００３６】
本発明の実施例では、コンピュータに、上記の測定報告をトリガする方法を測定報告をトリガする装置又はユーザ装置において実行させるためのコンピュータ読み取り可能なプログラムを記憶する、記憶媒体を提供する。
【００３７】
本発明の実施例の有益な効果としては、ユーザ装置の接続失敗が共存機器の干渉又はＭＢＭＳの連続受信から生じたものである場合、ネットワーク側は共存機器の干渉又はＭＢＭＳの連続受信に関する情報を無視でき、或いは共存機器の干渉又はＭＢＭＳの連続受信に関する情報をネットワーク側で接続失敗を修正又は回避するのを補助するための因子とすることができる。
【００３８】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００３９】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００４０】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００４１】
含まれる図面は、本発明の実施例をさらに理解させるために提供され、明細書の一部を構成し、本発明の実施形態を例示し、文言の説明と共に本発明の原理を説明するためのものである。なお、以下に説明する図面は、単なる本発明の実施例であり、当業者にとって、努力をすることなく、これらの図面から他の図面を取得できる。
【図１】本発明の実施例１の情報処理方法のフローチャートである。
【図２】本発明の実施例２の情報処理方法のフローチャートである。
【図３】本発明の実施例３の情報処理方法のフローチャートである。
【図４】本発明の実施例４の情報処理方法のフローチャートである。
【図５】本発明の実施例５の情報処理方法のフローチャートである。
【図６】本発明の実施例６の情報処理装置の構成を示す図である。
【図７】本発明の実施例７の情報処理装置の構成を示す図である。
【図８】本発明の実施例８の情報処理装置の構成を示す図である。
【図９】本発明の実施例９の情報処理装置の構成を示す図である。
【図１０】本発明の実施例１０の情報処理装置の構成を示す図である。
【図１１】本発明の実施例１１の情報処理方法のフローチャートである。
【図１２】本発明の実施例１２の情報処理装置の構成を示す図である。
【図１３】本発明の実施例１３の情報処理方法のフローチャートである。
【図１４】本発明の実施例１４の情報処理装置の構成を示す図である。
【発明を実施するための形態】
【００４２】
以下は、図面を参照しながら、本発明の各実施形態を説明する。これらの実施形態は単なる例示的なものであり、本発明を限定するものではない。
【００４３】
従来の実際のシステムでは、接続失敗は、端末側の共存機器の干渉又はＭＢＭＳの連続受信などから生じたものである可能性がある。しかし、従来のメカニズムでは、接続失敗が発生した後に、ユーザ装置からネットワーク側に提供された情報は失敗前後のユーザ装置が属するセルのＩＤ、失敗時の測定結果などを含むが、接続失敗が端末側の共存機器の干渉又はＭＢＭＳの連続受信から生じたものであることを看過してしまう。従来のメカニズムに従ってネットワーク側に接続失敗時の状況を通知すると、ネットワーク側はこれらの原因を取得できず、これらの原因による接続失敗を適切に回避できず、正確なネットワークパラメータを誤って調整する可能性がある。
【００４４】
本発明の実施例は情報処理方法を提供し、該方法によれば、ユーザ装置で接続失敗が発生した後に、該接続失敗が共存機器の干渉又はＭＢＭＳの連続受信から生じたものである場合、該ユーザ装置は、関連情報をネットワーク側にさらに報告してもよい。これによって、ネットワーク側は、接続失敗を修正又は回避する時に、共存機器の干渉又はＭＢＭＳの連続受信に関する情報を無視し、或いは共存機器の干渉又はＭＢＭＳの連続受信に関する情報をネットワーク側で接続失敗を修正又は回避するのを補助するための因子とすることができる。以下は、図面を参照しながら、本発明の実施例の情報処理方法、接続失敗の原因の決定方法及び装置、並びに通信システムを詳細に説明する。
【００４５】
＜実施例１＞
図１は本発明の実施例１の情報処理方法のフローチャートである。端末側では、図１に示すように、該方法は以下のステップを含む。
【００４６】
ステップ１０１：ユーザ装置で接続失敗が発生した場合、該ユーザ装置は、以下の関連情報を記録する。
【００４７】
現在の接続失敗が発生する前、及び／又は現在の接続失敗が発生する前の所定時間内に、該ユーザ装置がサービングセルにおいて測定報告をトリガしたセル、及び／又は
現在の接続失敗が発生する前、及び／又は現在の接続失敗が発生する前の所定時間内に、該ユーザ装置がサービングセルにおいて該セルの測定報告を初めてトリガする時点、及び／又は該セルの測定報告を初めてトリガする時点から該現在の接続失敗が発生する時点までの時間間隔。
【００４８】
本実施例では、該ユーザ装置で接続失敗、例えばＲＬＦ又はＨＯＦが発生した場合、上記の関連情報を１つのセルリストに記録してもよい。
【００４９】
ステップ１０２：該ユーザ装置がネットワークに再接続した後に、記録された情報をネットワーク側に報告する。
【００５０】
上記の実施例では、ステップ１０２はオプションのステップであり、該ユーザ装置で接続失敗が発生して、ネットワークに再接続した後にのみ実行される。
【００５１】
本実施例では、ネットワーク側は、上記の関連情報を受信した後に、上記の関連情報を、接続失敗の原因を最終的に決定し、且つ失敗を生じるネットワークパラメータを修正する基地局に転送する（例えば、TS36.423 v11.3.0におけるリンク障害指示（RLF Indication）メッセージ及び／又はハンドオーバ報告（HO Report）メッセージを介して上記の情報を該基地局に転送する）。このように、該基地局は、上記の関連情報を受信した後に、接続失敗を生じる原因を判断し、例えば測定報告のトリガ時間と接続失敗の発生時間との間隔が比較的に大きい場合、該基地局は、該ユーザ装置がハンドオーバする際にハンドオーバの準備にかかる時間が長すぎ、或いはハンドオーバ準備前の待ち時間が長すぎると判断し、これによって、基地局は、従来メカニズムに存在する問題点を解決するように、ハンドオーバの準備時間又はハンドオーバ準備前の待ち時間を短縮する。
【００５２】
＜実施例２＞
図２は本発明の実施例２の情報処理方法のフローチャートである。端末側では、図２に示すように、該方法は以下のステップを含む。
【００５３】
ステップ２０１：現在の接続失敗が共存機器の干渉から生じたもの、若しくはＭＢＭＳの連続受信から生じたものであるとユーザ装置により決定された場合、又は現在の接続失敗が発生する前に該ユーザ装置が共存機器の干渉に関する情報を送信し、或いはネットワーク側でＭＢＭＳの連続受信を確保するのを補助するための情報を送信したとユーザ装置により決定された場合、該ユーザ装置は、該現在の接続失敗を無視する。
【００５４】
本実施例では、該ＭＢＭＳは、ユーザ装置が受信しているＭＢＭＳ又は受信しようとするＭＢＭＳであってもよいが、これに限定されない。
【００５５】
ステップ２０２：該ユーザ装置は、いずれの情報も記録しない。
【００５６】
本実施例では、接続失敗が発生する前に、該ユーザ装置により送信された共存機器の干渉に関する情報は、共存機器指示メッセージにおける情報、例えばTS36.331 v11.2.0に定義された共存機器指示（InDeciveCoexindication）メッセージに定義された情報を指し、例えば共存機器により干渉された周波数リスト、時分割多重（ＴＤＭ）メカニズムの補助情報などであり、ここでその説明が省略される。
【００５７】
本実施例では、接続失敗が発生する前に、該ユーザ装置により送信された、ネットワーク側でＭＢＭＳの連続受信を確保するのを補助するための情報は、ＭＢＭＳ関心指示情報を含んでもよく、該ＭＢＭＳ関心指示は例えばTS36.331 v11.2.0に定義されたＭＢＭＳ関心指示（MBMSInterestIndication）メッセージ、例えばユーザの関心のあるＭＢＭＳを提供する周波数リスト、ＭＢＭＳとユニキャストサービスの優先度を示すインジケータなどであってもよいが、ここでその説明が省略される。
【００５８】
上記の実施例から分かるように、ユーザ装置は上記の情報を記録せず、且つ上記の情報をネットワーク側に報告しないことで、ネットワーク側が失敗原因を判断する時に共存機器の干渉又はＭＢＭＳ連続受信に影響されない。
【００５９】
＜実施例３＞
図３は本発明の実施例３の情報処理方法のフローチャートである。端末側では、図３に示すように、該方法は以下のステップを含む。
【００６０】
ステップ３０１：現在の接続失敗が共存機器の干渉から生じたもの、若しくはＭＢＭＳの連続受信を確保することから生じたものであるとユーザ装置により決定された場合、又は現在の接続失敗が発生する前にユーザ装置が共存機器の干渉に関する情報を送信し、或いはネットワーク側でＭＢＭＳの連続受信を確保するのを補助するための情報を送信したと該ユーザ装置により決定された場合、該ユーザ装置は、該現在の接続失敗の関連情報を記録する。
【００６１】
ステップ３０２：該ユーザ装置がネットワークに再接続した後に、該ユーザ装置は、記録された情報をネットワーク側に報告する。
【００６２】
本実施例では、該現在の接続失敗の関連情報は、該現在の接続失敗の情報、及び／又は共存干渉に関する情報、及び／又はＭＢＭＳ関心に関する情報を含んでもよく、以下は各情報について例を挙げて説明する。
【００６３】
該現在の接続失敗の情報は、TS36.331 v11.2.0の接続失敗の関連情報を記憶するための変数（VarRLF-Report）に定義された１つ又は複数の情報を含んでもよく、例えば、該情報は接続失敗時に属するセルのＩＤ、接続失敗時のサービングセル及び隣接セルの測定結果などを含んでもよく、ここで該VarRLF-Reportにおける情報を援用し、ここでその説明が省略される。
【００６４】
本実施例では、該現在の接続失敗が共存機器の干渉から生じたものであり、或いは現在の接続失敗が発生する前に該ユーザ装置が共存機器の干渉に関する情報を送信した場合、該現在の接続失敗の関連情報は、共存干渉に関する情報をさらに含んでもよい。該共存干渉に関する情報は、該現在の接続失敗が発生する前に共存機器の干渉に関する情報を送信したことを示す指示情報、及び／又は該現在の接続失敗が共存機器の干渉から生じたものであることを示す指示情報、及び／又はTS36.331 v11.2.0 InDeviceCoexindicationメッセージに定義された情報を含んでもよく、例えば、共存機器に干渉される周波数リスト、時分割多重メカニズムの補助情報などであってもよく、ここで該メッセージに定義された情報を援用し、ここでその説明が省略される。
【００６５】
本実施例では、該現在の接続失敗がＭＢＭＳの連続受信を確保することから生じたものであり、或いは現在の接続失敗が発生する前に該ユーザ装置がネットワーク側でＭＢＭＳの連続受信を確保するのを補助するための情報を送信したと該ユーザ装置により決定された場合、該現在の接続失敗の関連情報は、ＭＢＭＳ関心に関する情報をさらに含んでもよい。該ＭＢＭＳ関心に関する情報は、該現在の接続失敗が発生する前にＭＢＭＳ関心指示の指示情報を送信したことを示す指示情報、及び／又は該現在の接続失敗がＭＢＭＳの連続受信を確保することから生じたものであることを示す指示情報、及び／又はTS36.331 v11.2.0 MBMSInterestIndicationメッセージに定義された情報を含んでもよく、例えば、ユーザの関心のあるＭＢＭＳを提供する周波数リスト、ＭＢＭＳとユニキャストサービスの優先度を示すインジケータなどであってもよく、ここで該メッセージに定義された情報を援用し、ここでその説明が省略される。
【００６６】
本実施例では、下記の方式で該関連情報を記録してもよい。
【００６７】
第１の方式：ユーザ装置により保存された接続失敗の関連情報を置換する。
【００６８】
上記の記録方式によれば、該ユーザ装置では、１回のみの接続失敗の関連情報を記録する。
【００６９】
該ユーザ装置の接続失敗が共存機器の干渉から生じたものであり、若しくは接続失敗が発生する前に共存機器の干渉に関する情報を送信する前に、又は接続失敗がＭＢＭＳの連続受信から生じたものであり、若しくは接続失敗が発生する前にネットワーク側でＭＢＭＳの連続受信を確保するのを補助するための情報を送信する前に（ここで、第２回の接続失敗と称される）、もう１回の接続失敗（即ち第１回の接続失敗）が発生し、且つ該第１回の接続失敗の情報（即ちTS36.331 v11.2.0におけるVarRLF-Reportに保存された情報）は依然として該ユーザ装置に保存されている。
【００７０】
本実施例では、該ユーザ装置は、保存された第１回の接続失敗の情報を置換し、該第２回の接続失敗の情報を該ユーザ装置に保存し、該第２回の接続失敗の情報は、上述したものであり、ここでその説明が省略される。
【００７１】
第２の方式：ユーザ装置により保存された接続失敗の関連情報を置換しない。
【００７２】
上記の記録方式によれば、該ユーザ装置では、２回以上の接続失敗の関連情報を記録してもよく、該接続失敗の関連情報は上述したものであり、ここでその説明が省略される。
【００７３】
同様に、ステップ３０２はオプションのステップであり、該ユーザ装置で接続失敗が発生して、ネットワークに再接続した後のみ実行される。
【００７４】
本実施例から分かるように、ネットワーク側は、上記の関連情報を受信した後に、上記の関連情報を、接続失敗の原因を最終的に決定し、且つ失敗を生じるネットワークパラメータを修正する基地局に転送してもよく、例えばユーザ装置は、TS36.423 v11.3.0におけるリンク障害指示（RLF Indication）メッセージ及び／又はハンドオーバ報告（HO Report）メッセージを介して上記の情報を該基地局に転送してもよい。このように、該基地局は、上記の関連情報を受信した後に、共存干渉又はＭＢＭＳ関心に関する情報を含む接続失敗の関連情報をネットワーク側で接続失敗を修正又は回避するのを補助するための因子とせず、或いは上記の接続失敗の関連情報をネットワーク側で接続失敗を修正又は回避するのを補助するための因子とすることで、従来メカニズムに存在する問題点を解決できる。
【００７５】
＜実施例４＞
図４は本発明の実施例４の情報処理方法のフローチャートである。ネットワーク側では、失敗原因を最終的に決定し、且つパラメータを修正する基地局について、図４に示すように、該方法は以下のステップを含む。
【００７６】
ステップ４０１：ネットワーク側の基地局は、ユーザ装置又はネットワーク側の他の基地局により送信された情報を受信する。
【００７７】
本実施例では、該情報は、下記情報の１つ又は複数を含んでもよい。
【００７８】
１）実施例１に記載の情報：該情報は該ユーザ装置で接続失敗が発生した時に記録された情報である。
【００７９】
２）実施例３に記載の情報：該情報は、現在の接続失敗が共存機器の干渉から生じたもの、若しくはＭＢＭＳの連続受信を確保することから生じたものであるとユーザ装置により決定された場合、又は現在の接続失敗が発生する前に該ユーザ装置が共存機器の干渉に関する情報を送信し、或いはネットワーク側でＭＢＭＳの連続受信を確保するのを補助するための情報を送信したとユーザ装置により決定された場合に、該ユーザ装置により記録された情報である。
【００８０】
上記の情報の具体的な内容は、実施例１及び実施例３に記載のものであり、ここでその説明が省略される。
【００８１】
本実施例では、該ネットワーク側の基地局は、現在の接続失敗の原因を最終的に決定し、且つ失敗を生じるネットワークパラメータを修正する基地局であってもよい。このように、該基地局は、該ユーザ装置から上記情報を直接に取得してもよいし、ネットワークの他の基地局から上記情報を間接に取得してもよいが、これは従来技術に類似するため、ここでその説明が省略される。
【００８２】
ステップ４０２：受信された情報をネットワーク側で接続失敗を修正又は回避するのを補助するための因子とし、或いは受信された情報を無視する。
【００８３】
本実施例では、該基地局は、上記実施例１に記載の情報を受信した後に、受信された情報をネットワーク側で接続失敗を修正又は回避するのを補助するための因子としてもよく、例えば、測定報告のトリガ時間と接続失敗の発生時間との間隔が比較的に大きい場合、該基地局は、該ユーザ装置がハンドオーバする際にハンドオーバの準備にかかる時間が長すぎ、或いはハンドオーバ準備前の待ち時間が長すぎると判断し、これによって、基地局は、ハンドオーバの準備時間又はハンドオーバ準備前の待ち時間を短縮する。
【００８４】
本実施例では、該基地局が上記実施例３に記載の情報を受信した後に、上記情報を無視し、上記情報をネットワーク側で接続失敗を修正又は回避するのを補助するための因子としなくてもよい。また、上記技術をネットワーク側で接続失敗を修正又は回避するのを補助するための因子としてもよい。以下は例を挙げて説明する。
【００８５】
例１：該基地局が上記実施例３に記載の情報を受信した後に、該基地局は、上記情報を直接に無視し、即ち共存機器の干渉に関する情報又はＭＢＭＳの連続受信に関する情報（例えばＭＢＭＳ関心に関する情報）を含む情報をネットワーク側で接続失敗を修正又は回避するのを補助するための因子としないようしてもよい。このように、ネットワーク側は、適切な対応措置を用いて接続失敗を正確に修正又は回避でき、従来メカニズムに存在する問題点を解決できる。
【００８６】
例２：該基地局が上記実施例３に記載の情報を受信した後に、該接続失敗が共存機器の干渉又はＭＢＭＳの連続受信を確保することから生じたものであるか否かを判断し、ＹＥＳの場合、上記情報を無視し、或いは共存機器の干渉に関する情報又はＭＢＭＳの連続受信に関する情報をネットワーク側で接続失敗を修正又は回避するのを補助するための因子とする。
【００８７】
例３：該基地局が上記実施例３に記載の情報を受信した後に、該接続失敗が共存機器の干渉又はＭＢＭＳの連続受信を確保することから生じたものであるか否かを判断し、ＹＥＳの場合、共存機器の干渉に関する情報又はＭＢＭＳの連続受信に関する情報をネットワークで接続失敗を修正又は回避するのを補助するための因子とし、そうでない場合、従来のメカニズムに従ってネットワークパラメータを判断し、補正する。
【００８８】
例えば、該情報に共存干渉に関する情報が含まれている場合、該基地局は、該情報に対応する接続失敗が共存干渉から生じたものであると決定する。このように、基地局は、共存機器干渉のあるユーザ装置のハンドオーバを処理する際に、該ユーザ装置に早めにハンドオーバさせるように、該ユーザ装置のハンドオーバパラメータを調整する。
【００８９】
該情報にＭＢＭＳ関心に関する情報が含まれ、該ユーザ装置がネットワークに再接続する際に属するセルがＭＢＭＳ関心に関する情報により示されたユーザ装置の関心のあるＭＢＭＳサービスを提供可能なセルではなく、且つ接続失敗時に該セルの測定結果がよいと接続失敗の関連情報により示された場合、該基地局は、該接続失敗がＭＢＭＳの連続受信を確保することから生じたものであると判断する。このように、基地局は、該ＭＢＭＳサービスを連続的に受信する必要なユーザ装置のハンドオーバを処理する際に、該ＭＢＭＳサービスを提供するセルの測定結果を待つ期間を調整してもよく、該期間内に測定結果を受信していない場合、基地局は該ＭＢＭＳサービスの受信を中断し、もう１つのセルにハンドオーバする。
【００９０】
上記の接続失敗の原因を決定する方法は単なる本発明の実施例であり、上記の実施例に限定されない。
【００９１】
上記の接続失敗を修正又は回避する方式は単なる本発明の実施例であり、他の方法を排除するものではなく、実際の状況に応じて対応する方式を用いてもよい。
【００９２】
＜実施例５＞
図５は本発明の実施例５の情報処理方法のフローチャートである。ネットワーク側では、情報を転送する基地局について、図５に示すように、該方法は以下のステップを含む。
【００９３】
ステップ５０１：ネットワーク側の基地局は、ユーザ装置又はネットワーク側の他の基地局により送信された情報を受信する。
【００９４】
本実施例では、上記情報の具体的な内容は、実施例１及び実施例３の通りであり、ここでその説明が省略される。
【００９５】
ステップ５０２：該情報を無視し、或いは該情報をネットワーク側に送信する。
【００９６】
本実施例では、該基地局が該接続失敗の原因を最終的に決定する基地局ではない場合、該基地局は、上記情報を受信した後に、該情報をネットワーク側に送信し、ネットワークを介して該情報を直接又は間接に該接続失敗の原因を最終的に決定する基地局に送信できる。
【００９７】
＜実施例６＞
図６は本発明の実施例６の情報処理装置の構成を示す図である。図６に示すように、装置６００は第１の決定部６０１及び第１の情報処理部６０２を含む。
【００９８】
第１の決定部６０１は、接続失敗が発生したか否かを決定する。
【００９９】
第１の情報処理部６０２は、第１の決定部６０１の決定結果がＹＥＳである場合、関連情報を記録する。該情報は実施例１の通りであり、ここでその説明が省略される。
【０１００】
本実施例では、図６に示すように、装置６００は第１の報告部６０３をさらに含んでもよく、第１の報告部６０３は、ユーザ装置がネットワークに再接続した後に、記録された情報をネットワーク側に報告する。
【０１０１】
本実施例では、上記記録された情報に含まれる所定時間は、ネットワーク側により構成され、或いは予め設定されてもよい。従って、装置６００は、パラメータ取得部（図示せず）をさらに含んでもよく、該パラメータ取得部は、ネットワーク側により構成された該所定時間又は予め設定された該所定時間を取得する。
【０１０２】
本実施例では、装置６００の動作過程は実施例１の通りであり、ここでその説明が省略される。
【０１０３】
上記の実施例によれば、端末側は接続失敗時の関連情報をネットワーク側に送信することで、ネットワーク側は上記情報を取得した後に、接続失敗の原因を正確に判断でき、対応する措置を用いて接続失敗を修正又は回避でき、従来メカニズムに存在する問題点を解決できる。
【０１０４】
＜実施例７＞
図７は本発明の実施例７の情報処理装置の構成を示す図である。図７に示すように、装置７００は第２の決定部７０１及び第２の情報処理部７０２を含む。
【０１０５】
第２の決定部７０１は、ユーザ装置の現在の接続失敗が共存機器の干渉から生じたものであるか否か、ＭＢＭＳの連続受信を確保することから生じたものであるか否か、現在の接続失敗が発生する前にユーザ装置が共存機器の干渉に関する情報を送信したか否か、又はネットワーク側でＭＢＭＳの連続受信を確保するのを補助するための情報を送信したか否かを決定する。第２の情報処理部７０２は、第２の決定部７０１の決定結果がＹＥＳである場合、該現在の接続失敗を無視する。
【０１０６】
本実施例では、第２の情報処理部７０２は、該現在の接続失敗を無視する場合、いずれの情報も記録しない。
【０１０７】
本実施例では、装置７００の動作過程は実施例２の通りであり、ここでその説明が省略される。
【０１０８】
上記の実施例によれば、ユーザ装置は上記情報を記録せず、且つ上記情報をネットワーク側に報告しないことで、ネットワーク側が失敗原因を判断する際に共存機器の干渉又はＭＢＭＳの連続受信に影響されないことを確保できる。
【０１０９】
＜実施例８＞
図８は本発明の実施例８の情報処理装置の構成を示す図である。図８に示すように、装置８００は、第３の決定部８０１及び第３の情報処理部８０２を含む。第３の決定部８０１の作用は第２の決定部７０１と類似するため、ここでその説明が省略される。
【０１１０】
第３の情報処理部８０２は、第３の決定部８０１の決定結果がＹＥＳである場合、該現在の接続失敗の関連情報を記録する。
【０１１１】
本実施例では、該現在の接続失敗の関連情報は実施例３の通りであり、ここでその説明が省略される。
【０１１２】
本実施例では、第３の処理部８０２は、該現在の接続失敗の関連情報を記録する場合、ユーザ装置により保存された接続失敗情報を置換し、或いはユーザ装置により保存された接続失敗情報を置換しない。具体的な内容は、実施例３の通りであり、ここでその説明が省略される。
【０１１３】
本実施例では、装置８００は第３の報告部８０３をさらに含んでもよいが、第１の報告部６０３と類似するため、ここでその説明が省略される。第３の報告部８０３はオプションのステップであり、その説明が省略される。
【０１１４】
上記の実施例によれば、端末側は接続失敗時の関連情報をネットワーク側に送信し、ネットワーク側は上記情報を取得した後に、上記情報を接続失敗の原因を最終的に決定し、且つ接続失敗を生じるネットワークパラメータを修正する基地局に転送することで、接続失敗の原因を正確に判断でき、対応する措置を用いて接続失敗を修正又は回避でき、従来メカニズムに存在する問題点を解決できる。
【０１１５】
上記の実施例では、上記情報処理装置６００〜８００の各部を一部又は全て組み合わせてもよいが、ここでその説明が省略される。
【０１１６】
＜実施例９＞
図９は本発明の実施例９の情報処理装置の構成を示す図である。図９に示すように、装置９００は、第１の受信部９０１及び第１の処理部９０２を含む。
【０１１７】
第１の受信部９０１は、ユーザ装置又はネットワーク側の他の基地局により送信された情報を受信する。ここで、該情報の具体的な内容は実施例４の通り（実施例１及び／又は実施例３の情報を含む）であり、ここでその説明が省略される。
【０１１８】
第１の処理部９０２は、受信された情報を、ネットワーク側で接続失敗を修正又は回避するのを補助するための因子とし、或いは受信された情報を無視する。
【０１１９】
本実施例では、第１の処理部９０２の処理方法は実施例４の通り（ステップ４０２に対応する）であり、ここでその説明が省略される。
【０１２０】
本実施例では、装置９００は、ネットワーク側の接続失敗の原因を最終的に決定し、且つネットワークパラメータを補正する基地局に対応する。
【０１２１】
第１の受信部９０１により受信された情報は、実施例１、及び／又は実施例３に記載の情報を含んでもよいが、ここでその説明が省略される。第１の受信部９０１は、情報をユーザ装置から直接に受信してもよいし、ネットワーク側の他の基地局から受信してもよい。
【０１２２】
本実施例では、装置９００の動作過程は実施例４の通りであり、ここでその説明が省略される。
【０１２３】
上記の接続失敗を修正又は回避する方式は、単なる本発明の実施例であり、他の方法を排除するものではなく、実際の状況に応じて対応する方式を用いてもよい。
【０１２４】
＜実施例１０＞
図１０は本発明の実施例１０の情報処理装置の構成を示す図である。接続失敗を最終的に決定するものではない基地局側では、図１０に示すように、装置１０００は第２の受信部１００１及び第２の処理部１００２を含む。
【０１２５】
第２の受信部１００１は、ユーザ装置により送信された情報を受信する。該情報の具体的な内容は、実施例４の通り（実施例１及び／又は実施例３の情報を含む）であり、ここでその説明が省略される。
【０１２６】
該基地局が接続失敗の原因を最終的に決定する基地局ではない場合、該基地局は該情報をネットワーク側に送信し、最終的に、該情報は接続失敗の原因を決定する基地局により取得される。
【０１２７】
このように、装置１０００は、該情報をネットワーク側に送信し、或いは該情報を直接に無視する第２処理部１００２をさらに含んでもよい。
【０１２８】
本実施例では、装置１０００の動作過程は実施例５の通りであり、ここでその説明が省略される。
【０１２９】
上記の実施例によれば、ネットワーク側の基地局は、端末側により送信された接続失敗の関連情報を取得し、該情報を接続失敗の原因を最終的に決定する基地局に送信することで、接続失敗の原因を最終的に決定する基地局は上記情報に基づいて接続失敗の発生を修正又は回避できる。
【０１３０】
図１１は本発明の実施例１１の情報処理方法のフローチャートである。図１１に示すように、該方法は以下のステップを含む。
【０１３１】
ステップ１１０１：第１の基地局は、ユーザ装置により送信された無線リンク障害（ＲＬＦ）報告を受信する。
【０１３２】
ステップ１１０２：受信された前記無線リンク障害報告における情報に基づいてユーザ装置のコンテキスト情報を検索する。
【０１３３】
例えば、該第１の基地局は、ユーザ装置により報告されたＲＬＦ報告から該ユーザ装置のＩＤを検索し、該ＩＤ情報に基づいてユーザ装置のコンテキストを検索してもよいが、該ＩＤに限定されなく、他の情報であってもよい。
【０１３４】
ステップ１１０３：コンテキスト情報に基づいて、接続失敗が発生する前にユーザ装置が共存機器の干渉に関する情報を送信し、或いはＭＢＭＳの連続受信に関する情報を送信したか否かを決定する。
【０１３５】
本実施例では、第１の基地局は、コンテキスト情報に上記情報が存在するか否かを検索し、存在する場合、ユーザ装置が共存機器の干渉に関する情報を送信し、或いはＭＢＭＳの連続受信に関する情報を送信したと決定し、そうでない場合、ユーザ装置が共存機器の干渉に関する情報を送信しておらず、或いはＭＢＭＳの連続受信に関する情報を送信していないと決定する。
【０１３６】
ステップ１１０４：決定結果がＹＥＳである場合、情報を無視し、或いは情報を、ネットワーク側で接続失敗を修正又は回避するのを補助するための因子とし、或いは共存機器の干渉に関する情報又はＭＢＭＳの連続受信に関する情報をネットワーク側に送信する。
【０１３７】
本実施例では、共存機器の干渉に関する情報は、接続失敗が発生する前にユーザ装置が共存機器の干渉に関する情報を送信したことを示す指示情報、及び／又はInDeviceCoexindicationメッセージに設定された情報を含み、ＭＢＭＳの連続受信に関する情報は、接続失敗が発生する前にユーザ装置がネットワーク側でＭＢＭＳの連続受信を確保するのを補助するための情報を送信したことを示す指示情報、及び／又はMBMSInterestIndicationメッセージに設定された情報を含む。
【０１３８】
上記実施例では、第１の基地局は接続失敗の原因を最終的に決定する基地局でなくてもよく、第１の基地局は、ステップ１１０４において、情報を無視し、或いはネットワーク側に共存機器の干渉に関する情報又はＭＢＭＳの連続受信に関する情報を送信してもよい。
【０１３９】
上記実施例では、第１の基地局は接続失敗の原因を最終的に決定する基地局であってもよく、第１の基地局は、ステップ１１０４において、情報を無視し、或いは該情報をネットワーク側で接続失敗を修正又は回避するのを補助するための因子としてもよい。具体的な実施は実施例４の通りであり、ここでその説明が省略される。
【０１４０】
図１２は本発明の実施例１２の情報処理装置の構成を示す図である。図１２に示すように、装置１２００は第２の受信部１２０１、第１の情報検索部１２０２、第３の決定部１２０３及び第４の情報処理部１２０４を含む。
【０１４１】
第２の受信部１２０１は、ユーザ装置により送信された無線リンク障害報告を受信する。第１の情報検索部１２０２は、受信された無線リンク障害報告における情報に基づいてユーザ装置のコンテキスト情報を検索する。第３の決定部１２０３は、コンテキスト情報に基づいて、接続失敗が発生する前にユーザ装置が共存機器の干渉に関する情報を送信し、或いはＭＢＭＳの連続受信に関する情報を送信したか否かを決定する。第４の決定部１２０４は、第３の決定部１２０３の決定結果がＹＥＳである場合、情報を無視し、或いは共存機器の干渉に関する情報又はＭＢＭＳの連続受信に関する情報をネットワーク側に送信する。
【０１４２】
図１３は本発明の実施例１３の情報処理方法のフローチャートである。図１３に示すように、該方法は以下のステップを含む。
【０１４３】
ステップ１３０１：第１の基地局は、ユーザ装置により送信された無線リンク障害報告を受信する。
【０１４４】
ステップ１３０２：受信された前記無線リンク障害報告における情報に基づいてユーザ装置のコンテキスト情報を検索する。
【０１４５】
該ステップはステップ１１０２と類似するため、ここでその説明が省略される。
【０１４６】
ステップ１３０３：コンテキスト情報に基づいて、ユーザ装置の接続失敗が共存機器の干渉又はＭＢＭＳの連続受信を確保することから生じたものであるか否かを決定する。
【０１４７】
本実施例では、第１の基地局は、該コンテキスト情報に、該ユーザ装置が共存機器の干渉に関する情報又はＭＢＭＳの連続受信に関する情報を送信したことを示す情報が存在するか否かを検索してもよい。上記情報が存在する場合、該第１の基地局は、関連する測定結果を参照し、該ユーザ装置の接続失敗が共存機器の干渉から生じたもの又はＭＢＭＳの連続受信を確保することから生じたものであるか否かを判断し、具体的な判断方法は従来の何れかの方法を採用してもよいが、上記の方法は単なる一例である。
【０１４８】
ステップ１３０４：決定結果がＹＥＳである場合、関連情報を無視し、或いは関連情報を、ネットワーク側で接続失敗を修正又は回避するのを補助するための因子とし、或いは関連情報をネットワーク側に送信する。該関連情報は以下のものを含む。
【０１４９】
接続失敗が共存機器の干渉から生じたものであると決定された場合、該関連情報は、接続失敗が発生する前にユーザ装置が共存機器の干渉に関する情報を送信したことを示す指示情報、及び／又は接続失敗が共存機器の干渉から生じたものであることを示す指示情報、及び／又はInDeviceCoexindicationメッセージに設定された情報を含む。
【０１５０】
接続失敗がＭＢＭＳの連続受信を確保することから生じたものであると決定された場合、該関連情報は、接続失敗が発生する前にユーザ装置がネットワーク側でＭＢＭＳの連続受信を確保するのを補助するための情報を送信したことを示す指示情報、及び／又は接続失敗がＭＢＭＳの連続受信を確保することから生じたものであることを示す指示情報、及び／又はMBMSInterestIndicationメッセージに設定された情報を含む。
【０１５１】
本実施例では、該InDeviceCoexindicationメッセージに設定された情報は、共存機器の干渉の周波数リスト、及び／又は時分割多重の補助情報を含み、該MBMSInterestIndicationメッセージに設定された情報は、ユーザの関心のあるＭＢＭＳを提供する周波数リスト、及び／又はＭＢＭＳとユニキャストサービスの優先度を示すインジケータを含む。
【０１５２】
実施例１１の場合と同じ、第１の基地局は接続失敗の原因を最終的に決定する基地局でなくてもよく、第１の基地局は、ステップ１３０４において、情報を無視し、或いはネットワーク側に共存機器の干渉に関する情報又はＭＢＭＳの連続受信に関する情報を送信してもよい。
【０１５３】
上記実施例では、第１の基地局は接続失敗の原因を最終的に決定する基地局であってもよく、第１の基地局は、ステップ１３０４において、情報を無視し、或いは該情報をネットワーク側で接続失敗を修正又は回避するのを補助するための因子としてもよい。具体的な実施は実施例４の通りであり、ここでその説明が省略される。
【０１５４】
図１４は本発明の実施例１４の情報処理装置の構成を示す図である。図１４に示すように、装置１４００は、第３の受信部１４０１、第２の情報検索部１４０２、第４の決定部１４０３及び第５の情報処理部１４０４を含む。
【０１５５】
第３の受信部１４０１は、ユーザ装置により送信された無線リンク障害報告を受信する。第２の情報検索部１４０２は、受信された前記無線リンク障害報告における情報に基づいてユーザ装置のコンテキスト情報を検索する。第４の決定部１４０３は、コンテキスト情報に基づいて、ユーザ装置の接続失敗が共存機器の干渉又はＭＢＭＳの連続受信を確保することから生じたものであるか否かを決定する。第５の情報処理部１４０４は、決定結果がＹＥＳである場合、関連情報を無視し、或いは関連情報を、ネットワーク側で接続失敗を修正又は回避するのを補助するための因子とし、或いは関連情報をネットワーク側に送信する。
【０１５６】
接続失敗が共存機器の干渉から生じたものであると決定された場合、該関連情報は、接続失敗が発生する前にユーザ装置が共存機器の干渉に関する情報を送信したことを示す指示情報、及び／又は接続失敗が共存機器の干渉から生じたものであることを示す指示情報、及び／又はInDeviceCoexindicationメッセージに設定された情報を含む。
【０１５７】
接続失敗がＭＢＭＳの連続受信を確保することから生じたものであると決定された場合、該関連情報は、接続失敗が発生する前にユーザ装置がネットワーク側でＭＢＭＳの連続受信を確保するのを補助するための情報を送信したことを示す指示情報、及び／又は接続失敗がＭＢＭＳの連続受信を確保することから生じたものであることを示す指示情報、及び／又はMBMSInterestIndicationメッセージに設定された情報を含む。
【０１５８】
本実施例では、該InDeviceCoexindicationメッセージに設定された情報は、共存機器の干渉の周波数リスト、及び／又は時分割多重の補助情報を含み、該MBMSInterestIndicationメッセージに設定された情報は、ユーザの関心のあるＭＢＭＳを提供する周波数リスト、及び／又はＭＢＭＳとユニキャストサービスの優先度を示すインジケータを含む。
【０１５９】
上記の実施例によれば、第１の基地局は接続失敗報告における情報に基づいてユーザ装置のコンテキスト情報を取得し、該コンテキスト情報に基づいて接続失敗の原因又は接続失敗の関連情報を決定し、関連情報を接続失敗の原因を最終的に決定する基地局に報告することで、該基地局で接続失敗の発生を修正又は回避できる。
【０１６０】
＜実施例１５＞
本発明の実施例はユーザ装置をさらに提供し、該ユーザ装置は実施例６に記載の装置、及び／又は実施例７に記載の装置、及び／又は実施例８に記載の装置を含み、その具体的な構成は上記実施例の通りであり、ここで援用する。
【０１６１】
＜実施例１６＞
本発明の実施例は基地局をさらに提供し、該基地局は実施例９に記載の装置を含み、その具体的な構成は上記実施例９の通りであり、ここで援用する。
【０１６２】
＜実施例１７＞
本発明の実施例は基地局をさらに提供し、該基地局は実施例１０に記載の装置を含み、その具体的な構成は上記実施例１０の通りであり、ここで援用する。
【０１６３】
＜実施例１８＞
本発明の実施例１８は通信システムをさらに提供し、該通信システムは実施例１５に記載のユーザ装置を含んでもよい。
【０１６４】
本実施例では、該通信システムは、実施例１６に記載の基地局をさらに含んでもよい。
【０１６５】
また、該通信システムは、実施例１７に記載の基地局をさらに含んでもよい。
【０１６６】
＜実施例１９＞
本発明の実施例１９は基地局をさらに提供し、該基地局は実施例１２又は１４に記載の装置を含み、その具体的な構成は上記実施例１２又は１４の通りであり、ここで援用する。
【０１６７】
＜実施例２０＞
本発明の実施例は通信システムをさらに提供し、該通信システムは実施例１９に記載の第１の基地局を含む。
【０１６８】
また、本実施例では、該通信システムは、接続失敗の原因を最終的に決定する第２の基地局をさらに含んでもよく、該第２の基地局は、該第１の基地局の情報を受信し、該情報を無視し、或いは該情報を、接続失敗を修正又は回避するための因子とする。
【０１６９】
また、本実施例では、該通信システムは、該第１の基地局に無線接続障害の報告を送信するユーザ装置をさらに含んでもよい。
【０１７０】
＜実施例２１＞
本発明の実施例２１は、測定報告をトリガする方法をさらに提供し、該方法は、ＭＢＭＳを提供する隣接セルの信号強度又は信号品質が第１の所定値よりも大きく、或いはＭＢＭＳを提供する隣接セルの信号強度又は信号品質とサービングセルの信号強度又は信号品質との差が第２の所定値よりも大きい場合、ユーザ装置が該ＭＢＭＳを提供する隣接セルの測定報告をトリガするステップ、を含む。
【０１７１】
本実施例では、該測定報告は、ＭＢＭＳを提供する隣接セルの信号強度又は信号品質の情報を含む。
【０１７２】
＜実施例２２＞
本発明の実施例２２は、測定報告をトリガする方法をさらに提供し、該方法は、ユーザ装置がＭＢＭＳを提供する隣接セルの属する周波数と異なる隣接セルの測定報告をトリガした場合、ユーザ装置が、ＭＢＭＳを提供する隣接セルの信号強度又は信号品質を測定報告に含めてネットワーク側に報告するステップ、を含む。
【０１７３】
実施例２１又は２２では、ユーザ装置は関連情報をソース基地局に報告する。これによって、該ソース基地局は、受信された情報に基づいて、ＭＢＭＳの連続受信を確保することから生じた接続失敗を回避できる。
【０１７４】
例えば、基地局は、ＭＢＭＳを提供する隣接セルの測定結果を受信した後で、該セルの信号強度又は品質が比較的によい場合、ユーザをこのセルにハンドオーバするように選択し、ＭＢＭＳサービスの連続受信を確保する。該セルの信号強度又は品質は常に比較的に悪い場合、基地局は、ＭＢＭＳサービスの連続受信を確保するように、ユーザ装置を他のセルにハンドオーバさせてもよい。
【０１７５】
＜実施例２３＞
本発明の実施例２３は、測定報告をトリガする方法をさらに提供し、該方法は、ユーザ装置がソースセルからターゲットセルへハンドオーバし、且つ該ユーザ装置のＭＢＭＳの中断が発生した場合、又はユーザ装置がソースセルからターゲットセルへハンドオーバし、該ユーザ装置のＭＢＭＳの中断が発生し、且つターゲット基地局により制御されたセルに中断したＭＢＭＳを提供するセルが存在することを該ユーザ装置が知っている場合、ユーザ装置がターゲット基地局に少なくとも１つのセルの測定結果を報告するステップ、を含む。
【０１７６】
測定結果は、ユーザ装置がソースセルからターゲットセルへのハンドオーバの測定報告をトリガする時に、ユーザ装置により取得された他の隣接セルの測定結果を指す。
【０１７７】
本実施例では、他の隣接セルは、ＭＢＭＳを提供するセルを含む。
【０１７８】
本実施例では、ユーザ装置は関連情報をターゲット基地局に報告する。これによって、該ターゲット基地局は、該情報をソース基地局に転送し、ソース基地局は該情報に基づいてＭＢＭＳの連続受信を確保することから生じた接続失敗を回避できる。
【０１７９】
例えば、ターゲット基地局は、受信されたユーザ装置により報告された少なくとも１つのセルの測定結果をソース基地局に送信する。測定結果が、ユーザ装置がソース基地局からターゲット基地局にハンドオーバした時に、ＭＢＭＳサービスを提供する隣接セルの信号強度又は品質が比較的に良いことを示した場合、該基地局では該ＭＢＭＳサービスを連続的に受信する必要なユーザ装置がソース基地局からターゲット基地局にハンドオーバするとき、ソース基地局は、該ユーザ装置をＭＢＭＳサービスを提供する隣接セルにハンドオーバさせる。一方、測定結果が、ユーザ装置がソース基地局からターゲット基地局にハンドオーバした時に、ＭＢＭＳサービスを提供する隣接セルの信号強度又は品質が比較的に悪いことを示した場合、ソース基地局は、該ユーザ装置をＭＢＭＳサービスを提供する隣接セルにハンドオーバさせない。
【０１８０】
上記の実施例によれば、該ユーザ装置は、一定の条件が満たされた場合、ネットワーク側に関連情報を送信し、該ネットワーク側は該関連情報を取得した後に、上記情報を、接続失敗の原因を最終的に決定する基地局（即ちソース基地局）に送信又は転送することで、関心のあるＭＢＭＳの連続受信を確保することから生じた接続失敗を回避できる。
【０１８１】
＜実施例２４＞
本発明の実施例２４は測定報告をトリガする装置を提供し、該装置は第１のトリガ部を含む。該第１のトリガ部は、ＭＢＭＳを提供する隣接セルの信号強度又は信号品質が第１の所定値よりも大きく、或いはＭＢＭＳを提供する隣接セルの信号強度又は信号品質とサービングセルの信号強度又は信号品質との差が第２の所定値よりも大きい場合、ＭＢＭＳを提供する隣接セルの測定報告をトリガする。
【０１８２】
本実施例では、該測定報告は、ＭＢＭＳを提供する隣接セルの信号強度又は信号品質の情報を含む。
【０１８３】
＜実施例２５＞
本発明の実施例２５は測定報告をトリガする装置を提供し、該装置は第２のトリガ部を含む。該第２のトリガ部は、ユーザ装置がＭＢＭＳを提供する隣接セルの属する周波数と異なる隣接セルの測定報告をトリガした場合、ＭＢＭＳを提供する隣接セルの信号強度又は信号品質を前記測定報告に含めてネットワーク側に報告する。
【０１８４】
＜実施例２６＞
本発明の実施例２６は測定報告をトリガする装置を提供し、該装置は第３のトリガ部を含む。該第３のトリガ部は、ユーザ装置がソースセルからターゲットセルへハンドオーバし、且つ該ユーザ装置のＭＢＭＳの中断が発生した場合、又はユーザ装置がソースセルからターゲットセルへハンドオーバし、該ユーザ装置のＭＢＭＳの中断が発生し、且つターゲット基地局により制御されたセルに中断した前記ＭＢＭＳを提供するセルが存在することを該ユーザ装置が知っている場合、ターゲット基地局に少なくとも１つのセルの測定結果を報告する。
【０１８５】
該測定結果は、ユーザ装置がソースセルからターゲットセルへのハンドオーバの測定報告をトリガする時に、ユーザ装置により取得された他の隣接セルの測定結果を指す。
【０１８６】
本実施例では、該他の隣接セルは、ＭＢＭＳを提供するセルを含む。
【０１８７】
＜実施例２７＞
本発明の実施例２７はユーザ装置を提供し、該ユーザ装置は、実施例２４〜２６の少なくとも１つの装置を含んでもよく、その構成は上記の実施例の通りであり、ここで援用する。
【０１８８】
＜実施例２８＞
本発明の実施例２８は通信システムを提供し、該通信システムは、実施例２７に記載のユーザ装置を含んでもよく、その構成は上記の実施例の通りであり、ここで援用する。
【０１８９】
本実施例では、該通信システムは基地局をさらに含んでもよく、該基地局はユーザ装置により送信された関連情報を受信し、該関連情報は実施例２１〜２３の通りであり、ここでその説明が省略される。
【０１９０】
該基地局がソース基地局である場合、該基地局は、該関連情報に基づいて、ＭＢＭＳの連続受信を確保することから生じた接続失敗を回避する。
【０１９１】
該基地局が接続失敗の原因を最終的に決定する基地局ではない場合、該基地局は、該関連情報をネットワーク側に転送する。
【０１９２】
上記の実施例によれば、ネットワークの基地局はユーザ装置により送信された関連情報を受信し、該ネットワーク側は、該関連情報を取得した後に、上記情報を接続失敗の原因を最終的に決定する基地局に転送することで、関心のあるＭＢＭＳの連続受信を確保することから生じた接続失敗を回避できる。
【０１９３】
本発明の実施例は、情報処理装置又はユーザ装置においてプログラムを実行する際に、コンピュータに、実施例１、実施例２、実施例３に記載の情報処理方法を該情報処理装置又はユーザ装置において実行させる、コンピュータ読み取り可能なプログラムをさらに提供する。
【０１９４】
本発明の実施例は、コンピュータに、実施例１、実施例２、実施例３に記載の情報処理方法を情報処理装置又はユーザ装置において実行させるためのコンピュータ読み取り可能なプログラムを記憶する、記憶媒体をさらに提供する。
【０１９５】
本発明の実施例は、情報処理装置又は基地局においてプログラムを実行する際に、コンピュータに、実施例４、５、１１、１３に記載の情報処理方法を該情報処理装置又は基地局において実行させる、コンピュータ読み取り可能なプログラムをさらに提供する。
【０１９６】
本発明の実施例は、コンピュータに、実施例４、５、１１、１３に記載の情報処理方法を情報処理装置又は基地局において実行させるためのコンピュータ読み取り可能なプログラムを記憶する、記憶媒体をさらに提供する。
【０１９７】
本発明の実施例は、測定報告をトリガする装置又はユーザ装置においてプログラムを実行する際に、コンピュータに、実施例２１、２２、２３に記載の測定報告をトリガする方法を該測定報告をトリガする装置又はユーザ装置において実行させる、コンピュータ読み取り可能なプログラムをさらに提供する。
【０１９８】
本発明の実施例は、  コンピュータに、実施例２１、２２、２３に記載の測定報告をトリガする方法を測定報告をトリガする装置又はユーザ装置において実行させるためのコンピュータ読み取り可能なプログラムを記憶する、記憶媒体をさらに提供する。
【０１９９】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０２００】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016518053.tif 000003
【図２】
2016518053.tif 000004
【図３】
2016518053.tif 000005
【図４】
2016518053.tif 000006
【図５】
2016518053.tif 000007
【図６】
2016518053.tif 000008
【図７】
2016518053.tif 000009
【図８】
2016518053.tif 000010
【図９】
2016518053.tif 000011
【図１０】
2016518053.tif 000012
【図１１】
2016518053.tif 000013
【図１２】
2016518053.tif 000014
【図１３】
2016518053.tif 000015
【図１４】
2016518053.tif 000016
【国際調査報告】
2016518053.tif 000017
2016518053.tif 000018
2016518053.tif 000019
2016518053.tif 000020
2016518053.tif 000021
2016518053.tif 000022
2016518053.tif 000023
2016518053.tif 000024